(57)【要約】【課題】小型化が可能なフラッシュ光源装置を提供する。【解決手段】フラッシュ光源装置１Ａは、フラッシュランプ１０と、配線基板３０と、給電部６０とを備える。フラッシュランプ１０は、一方の端面に光透過窓が設けられ放電ガスが封入される密封容器１１と、密封容器１１内においてアーク放電を生じさせる陰極及び陽極と、密封容器１１の他方の端面から突出するリードピンとを有する。配線基板３０は主面３１及び裏面３２を有する。配線基板３０には、主面３１に対向して配置されたフラッシュランプ１０のリードピンが導電的に接着固定される。給電部６０は、フラッシュランプ１０に供給される電流の充電及び放電を行う。給電部６０は、配線基板３０上に面実装されたチップコンデンサ６１を有する。【選択図】図３
2014179205.tif 000002
【特許請求の範囲】
【請求項１】
所定方向を中心軸線方向とする略筒状を呈しており放電ガスが封入される密封容器、前記密封容器内において並んで配置されてアーク放電を生じさせる陰極及び陽極、並びに前記所定方向における前記密封容器の一方の端面から突出しており前記陰極及び前記陽極のそれぞれに電気的に接続された第１及び第２のリードピンを有するフラッシュランプと、
前記所定方向と交差する主面及び裏面を有し、前記主面に対向して配置された前記フラッシュランプの前記第１及び第２のリードピンが導電的に固定される配線基板と、
前記フラッシュランプに供給される電流の充電及び放電を行う給電部と
を備え、
前記給電部が、前記配線基板上に面実装された一又は複数のチップコンデンサを有することを特徴とする、フラッシュ光源装置。
【請求項２】
前記密封容器と熱的に結合された金属製の放熱板を更に備え、
前記放熱板が、前記配線基板に対向して配置されていることを特徴とする、請求項１に記載のフラッシュ光源装置。
【請求項３】
前記密封容器の前記所定方向に沿った側管部が金属製であることを特徴とする、請求項２に記載のフラッシュ光源装置。
【請求項４】
前記放熱板が、前記密封容器が挿通される貫通孔を有することを特徴とする、請求項２または３に記載のフラッシュ光源装置。
【請求項５】
前記放熱板、前記配線基板を挟んで前記放熱板と対向する底板、及び前記放熱板の周縁部と前記底板の周縁部とを互いに繋ぐ側板を有する筐体を備え、
前記放熱板が前記底板よりも厚いことを特徴とする、請求項２〜４のいずれか一項に記載のフラッシュ光源装置。
【請求項６】
少なくとも一つの前記チップコンデンサが前記配線基板の前記裏面上に面実装されていることを特徴とする、請求項１〜５のいずれか一項に記載のフラッシュ光源装置。
【請求項７】
前記フラッシュランプが、前記所定方向における前記密封容器の前記一方の端面から突出した封止管を更に有し、
前記配線基板における前記封止管との対向部分に凹部若しくは孔が形成されていることを特徴とする、請求項１〜６のいずれか一項に記載のフラッシュ光源装置。
【請求項８】
前記第１及び第２のリードピンが、前記密封容器に固定された基端部と、前記配線基板に固定される先端部とを含み、
前記第１のリードピンの前記先端部と前記第２のリードピンの前記先端部との間隔が、前記第１のリードピンの前記基端部と前記第２のリードピンの前記基端部との間隔よりも広いことを特徴とする、請求項１〜７のいずれか一項に記載のフラッシュ光源装置。
【請求項９】
前記第１及び第２のリードピンが、前記基端部と前記先端部との間において前記密封容器の中心軸線から離れる方向に屈曲された屈曲部を更に含むことを特徴とする、請求項８に記載のフラッシュ光源装置。
【請求項１０】
主放電のための電流を供給する主コンデンサと、前記主放電の開始を補助するための電流を供給する補助コンデンサとを備え、
少なくとも前記主コンデンサが前記給電部の前記チップコンデンサによって構成されていることを特徴とする、請求項１〜９のいずれか一項に記載のフラッシュ光源装置。
【請求項１１】
前記主コンデンサ及び前記補助コンデンサの双方が前記チップコンデンサによって構成されていることを特徴とする、請求項１０に記載のフラッシュ光源装置。
【発明の詳細な説明】
【技術分野】
【０００１】
本発明は、フラッシュ光源装置に関するものである。
【背景技術】
【０００２】
特許文献１には、キセノンフラッシュランプを備えるランプ光源に関する技術が記載されている。このキセノンフラッシュランプは、管軸方向の一端側から複数のリードピンが突出した構造を有しており、該管軸方向に垂直な板面を有する基板上に実装されている。また、この基板の裏面上には、コンデンサを含むトリガ回路が実装されている。
【先行技術文献】
【特許文献】
【０００３】
【特許文献１】特開２０００−７６９２１号公報
【特許文献２】特開２０１２−１７９３３９号公報
【特許文献３】特開２００４−１７１８２０号公報
【特許文献４】特開平７−１８１５６８号公報
【発明の概要】
【発明が解決しようとする課題】
【０００４】
従来より、キセノン等の放電ガスが封入された密封容器内においてアーク放電を生じさせるフラッシュランプと、フラッシュランプを発光させるための回路とを備えるフラッシュ光源装置が提供されている。このようなフラッシュ光源装置では、フラッシュランプに対して大電流を瞬時に供給するため、フラッシュランプを発光させるための回路内にコンデンサが設けられる。このコンデンサとしては一般にフィルムコンデンサが用いられているが、フィルムコンデンサは寸法が大きく、フラッシュ光源装置の小型化を妨げる一因となっている。
【０００５】
本発明は、このような問題点に鑑みてなされたものであり、小型化が可能なフラッシュ光源装置を提供することを目的とする。
【課題を解決するための手段】
【０００６】
上述した課題を解決するために、本発明によるフラッシュ光源装置は、所定方向を中心軸線方向とする略筒状を呈しており放電ガスが封入される密封容器、密封容器内において並んで配置されてアーク放電を生じさせる陰極及び陽極、並びに所定方向における密封容器の一方の端面から突出しており陰極及び陽極のそれぞれに電気的に接続された第１及び第２のリードピンを有するフラッシュランプと、所定方向と交差する主面及び裏面を有し、主面に対向して配置されたフラッシュランプの第１及び第２のリードピンが導電的に固定される配線基板と、フラッシュランプに供給される電流の充電及び放電を行う給電部とを備え、給電部が、配線基板上に面実装された一又は複数のチップコンデンサを有することを特徴とする。
【０００７】
このフラッシュ光源装置では、給電部が、配線基板上に面実装された一又は複数のチップコンデンサを有する。チップコンデンサはフィルムコンデンサと比較して寸法が極めて小さい。したがって、フラッシュ光源装置の小型化を可能にできる。
【０００８】
また、フラッシュ光源装置は、密封容器と熱的に結合された金属製の放熱板を更に備え、放熱板が、配線基板に対向して配置されていることを特徴としてもよい。このような放熱板が設けられることにより、フラッシュランプから生じる熱を効率的に放散し、配線基板上の回路素子への熱的な影響を低減することができる。特に、給電部のチップコンデンサがセラミックコンデンサである場合、従来のフィルムコンデンサと比較して熱に弱いので、上記のような放熱板が設けられることによりチップコンデンサをより好適に動作させることができる。
【０００９】
また、フラッシュ光源装置は、密封容器の所定方向に沿った側管部が金属製であることを特徴としてもよい。これにより、密封容器の熱伝導率が向上し、フラッシュランプの発光により生じる熱が効率よく放熱板に伝達されるので、上述した放熱効果をより高めることができる。さらに、フラッシュ光源装置は、放熱板が、密封容器が挿通される貫通孔を有することを特徴としてもよく、これにより、密封容器から放熱板への熱の伝達がさらに効率よく行われる。
【００１０】
また、フラッシュ光源装置は、上記放熱板、配線基板を挟んで放熱板と対向する底板、及び放熱板の周縁部と底板の周縁部とを互いに繋ぐ側板を有する筐体を備え、放熱板が底板よりも厚いことを特徴としてもよい。このように放熱板が厚く形成されることにより放熱板の熱容量が増すので、上述した放熱効果をより高めることができる。
【００１１】
また、フラッシュ光源装置は、少なくとも一つのチップコンデンサが配線基板の裏面上に面実装されていることを特徴としてもよい。これにより、フラッシュランプや放熱板から放出される熱が配線基板に遮られるので、チップコンデンサへの熱的な影響を更に低減することができる。
【００１２】
また、フラッシュ光源装置は、フラッシュランプが、所定方向における密封容器の一方の端面から突出した封止管を更に有し、配線基板における封止管との対向部分に凹部若しくは孔が形成されていることを特徴としてもよい。フラッシュランプの密封容器に気密封止のために設けられた封止管がリードピンと共に密封容器の端面から突出していると、配線基板との干渉を避けるためには、フラッシュランプと配線基板とを十分に離して配置せざるを得ず、フラッシュ光源装置の小型化を妨げる一因となる。上記のように、配線基板における封止管との対向部分に凹部若しくは孔が形成されていることにより、このような問題を解決してフラッシュ光源装置の更なる小型化を可能にできる。
【００１３】
また、フラッシュ光源装置は、第１及び第２のリードピンが、密封容器に固定された基端部と、配線基板に固定される先端部とを含み、第１のリードピンの先端部と第２のリードピンの先端部との間隔が、第１のリードピンの基端部と第２のリードピンの基端部との間隔よりも広いことを特徴としてもよい。これにより、配線基板における第１のリードピンと第２のリードピンとの間隔を広くすることができるので、フラッシュ光源装置の小型化に伴う耐圧性能の低下を抑制することができる。
【００１４】
また、フラッシュ光源装置は、第１及び第２のリードピンが、基端部と先端部との間において密封容器の中心軸線から離れる方向に屈曲された屈曲部を更に含むことを特徴としてもよい。これにより、第１及び第２のリードピンの基端部における封止機能への影響を抑えつつ、先端部同士の間隔を広くすることができる。
【００１５】
また、フラッシュ光源装置は、主放電のための電流を供給する主コンデンサと、主放電の開始を補助するための電流を供給する補助コンデンサとを備え、少なくとも主コンデンサが給電部のチップコンデンサによって構成されていることを特徴としてもよい。このように、より大きな電流の充電及び放電を行う主コンデンサがチップコンデンサにより構成されることによって、フラッシュ光源装置を効果的に小型化することができる。
【００１６】
また、フラッシュ光源装置は、主コンデンサ及び補助コンデンサの双方がチップコンデンサによって構成されていることを特徴としてもよい。これにより、フラッシュ光源装置を更に小型化することができる。
【発明の効果】
【００１７】
本発明によれば、小型化が可能なフラッシュ光源装置を提供することができる。
【図面の簡単な説明】
【００１８】
【図１】本発明の一実施形態に係るフラッシュ光源装置が備えるフラッシュランプの外観を示す一部切り欠き斜視図である。
【図２】フラッシュ光源装置の外観を示す斜視図である。
【図３】フラッシュ光源装置の内部構造を示す一部切り欠き側面図である。
【図４】フラッシュ光源装置の側断面図である。
【図５】配線基板に実装される回路構成の例を示す回路図である。
【発明を実施するための形態】
【００１９】
以下、添付図面を参照しながら本発明によるフラッシュ光源装置の実施の形態を詳細に説明する。なお、図面の説明において同一の要素には同一の符号を付し、重複する説明を省略する。
【００２０】
図１は、本発明の一実施形態に係るフラッシュ光源装置が備えるフラッシュランプ１０の外観を示す一部切り欠き斜視図である。本実施形態のフラッシュランプ１０は、特許文献２〜４に記載された直管型のフラッシュランプとは異なり、全てのリードピン２１〜２４がランプの一端側から突出した構成を備えている。直管型のフラッシュランプでは、陰極と陽極とが直管の両端において互いに離れて配置されているので、高い周波数での点灯には向いていない。これに対し、本実施形態のフラッシュランプ１０は、陰極１３と陽極１４とが近接配置されることにより、例えば１０Ｈｚ以上といった高周波数での点灯に適したものである。
【００２１】
図１に示されるように、フラッシュランプ１０は、放電ガス（例えばキセノンガス）が封入された密封容器１１を備えている。密封容器１１は、所定方向（図中の矢印Ａ）を中心軸線方向とする略円筒状を呈しており、ステム１１ａ、光透過窓１１ｂ、および側管部１１ｃを有している。
【００２２】
ステム１１ａは、円形板状の金属製部材であり、所定方向Ａにおける密封容器１１の一方の端面に設けられている。ステム１１ａは、所定方向Ａと交差する内面１１ｄを有している。光透過窓１１ｂは、円形板状のガラス製部材であって、所定方向Ａにおける密封容器１１の他方の端面に設けられている。フラッシュランプ１０において発生した光は、光透過窓１１ｂから所定方向Ａに沿って出射される。側管部１１ｃは、所定方向Ａに沿って延びる円筒状の金属製部材である。所定方向Ａにおける側管部１１ｃの一端は、ステム１１ａによって塞がれている。また、所定方向Ａにおける側管部１１ｃの他端には、ステム１１ａの内面１１ｄと対向する位置に断面円形状の開口１１ｅが形成されており、該開口１１ｅは光透過窓１１ｂによって塞がれている。
【００２３】
ステム１１ａには、密封容器１１内にキセノンガスを充填した後に封止される封止管１２が設けられている。封止管１２は、所定方向Ａにおける密封容器１１の一方の端面から突出しており、その先端部が押し潰されることにより封止されている。
【００２４】
密封容器１１内には、アーク放電を生じさせる陰極１３及び陽極１４、アーク放電に先立って予備放電を生じさせるトリガ電極１５、並びにアーク放電を安定して生じさせるためのスパーカ電極１６が配置されている。陰極１３及び陽極１４は、所定方向Ａと交差する方向に並んで配置されている。陰極１３及び陽極１４は、絶縁部材１８を介してステム１１ａを貫通するリードピン２１及び２２の端部にそれぞれ電気的に接続された状態で固定されている。トリガ電極１５は、絶縁部材１８を介してステム１１ａを貫通するリードピン２３の端部に固定されている。スパーカ電極１６は、絶縁部材１８を介してステム１１ａを貫通するリードピン２４の端部に固定されている。なお、本実施形態ではトリガ電極が１本のみ設けられているが、トリガ電極の本数は、陰極１３と陽極１４との距離に応じて増減される。
【００２５】
リードピン２１は、本実施形態における第１のリードピンである。リードピン２１は、上述したようにその一端が陰極１３に接続されており、他端は、所定方向Ａにおける密封容器１１の一方の端面から突出して設けられている。また、リードピン２２は、本実施形態における第２のリードピンである。リードピン２２は、上述したようにその一端が陽極１４に接続されており、他端は、所定方向Ａにおける密封容器１１の一方の端面から突出して設けられている。リードピン２３，２４も同様に、所定方向Ａにおける密封容器１１の一方の端面から突出して設けられている。
【００２６】
また、本実施形態のリードピン２１〜２４は、所定方向Ａに沿っており密封容器１１のステム１１ａに固定された基端部２１ａ〜２４ａと、所定方向Ａに沿っており後述する配線基板に固定される先端部２１ｂ〜２４ｂとを含んでいる。更に、リードピン２１〜２４は、基端部２１ａ〜２４ａと先端部２１ｂ〜２４ｂとの間において密封容器１１の中心軸線から離れる方向に屈曲された屈曲部２１ｃ〜２４ｃを含んでいる。これにより、各リードピン２１〜２４の先端部２１ｂ〜２４ｂ同士の間隔が、各リードピン２１〜２４の基端部２１ａ〜２４ａ同士の間隔よりも広くなっている。
【００２７】
図２は、本実施形態に係るフラッシュ光源装置１Ａの外観を示す斜視図である。また、図３は、図２に示されたフラッシュ光源装置１Ａの一枚の側板を取り除いてフラッシュ光源装置１Ａの内部構造を示す一部切り欠き側面図である。また、図４は、図２に示されたフラッシュ光源装置１ＡのIV−IV線に沿った側断面図である。
【００２８】
図２〜図４に示されるように、本実施形態のフラッシュ光源装置１Ａは、二枚の配線基板３０及び４０と、筐体５０とを備えている。配線基板３０は、所定方向Ａと交差する主面３１及び裏面３２を有しており、後述する放熱板５１に主面３１が対向するように、スペーサ７５を介して放熱板５１に固定されている。図４に示されるように、この配線基板３０には、主面３１に対向して配置されたフラッシュランプ１０（図１を参照）のリードピン２１〜２４の先端部２１ｂ〜２４ｂが、半田７１によって導電的に接着固定されている。
【００２９】
また、配線基板３０の主面３１上及び裏面３２上には、フラッシュランプ１０を発光させるための種々の回路要素が実装されている。このような回路要素の一つに、フラッシュランプ１０に供給される電流の充電及び放電を行う給電部６０（図３を参照）がある。本実施形態の給電部６０は、配線基板３０上に面実装された複数（図では３つ）のチップコンデンサ６１を有している。これらのチップコンデンサ６１は、互いに並列に接続され、フラッシュランプ１０に供給される電流を蓄える。なお、給電部６０は、単一のチップコンデンサ６１を有していてもよいが、給電部６０が複数のチップコンデンサ６１を有する場合には、チップコンデンサ一つ当たりの負荷を抑えることができ、チップコンデンサ自身の発熱をも低減することができるので、特に大電流が必要な場合には、複数のチップコンデンサ６１を用いるのが好ましい。典型的なチップコンデンサ６１は、配線基板３０の実装面に沿った方向に延びる略直方体状の外観を呈しており、該方向の両端それぞれに電極が形成されたものである。このようなチップコンデンサ６１としては、例えばチップセラミックコンデンサが好適である。
【００３０】
複数のチップコンデンサ６１のうち、少なくとも一つのチップコンデンサ６１は、配線基板３０の裏面３２上に面実装されることが好ましい。例えば本実施形態では、３個のチップコンデンサ６１のうち、２個のチップコンデンサ６１が裏面３２上に面実装されており、残りの１個のチップコンデンサ６１が主面３１上に面実装されている。
【００３１】
なお、配線基板３０上には、給電部６０の他にも種々の回路要素が実装されている。例えば、図３を参照すると、配線基板３０の主面３１上には、複数の抵抗素子７２が実装されている。
【００３２】
また、配線基板３０は、厚さ方向に配線基板３０を貫通する円形の孔３３を有している。孔３３は、配線基板３０における封止管１２との対向部分に形成されており、その直径は封止管１２の径よりも十分に大きい。この孔３３によって、配線基板３０と封止管１２（特に押し潰されることにより封止された先端部）との接触を避けることができる。なお、孔３３に代えて、配線基板３０の主面３１に、裏面３２に向かって凹部が形成されてもよい。
【００３３】
配線基板４０は、主面４１及び裏面４２を有しており、主面４１が配線基板３０の裏面３２と対向するように、スペーサ７６を介して配線基板３０に固定されている。配線基板４０上にも、種々の回路要素が実装されている。例えば、図３を参照すると、配線基板３０の裏面４２上には、電源ノイズ除去のための電解コンデンサ５６、及び電源側の一次回路とフラッシュランプ１０側の二次回路との間に介在するトランス５７が実装されている。更に、裏面４２上には、フラッシュ光源装置１Ａの外部の回路との電気的接続のためのコネクタ５８が実装されている。
【００３４】
筐体５０は、図２に示されるように、略直方体状の外観を呈している。筐体５０は、放熱板（天板）５１、底板５２、及び側板５３を有する。これらは全て金属製である。図３及び図４に示されるように、放熱板５１及び底板５２は、所定方向（矢印Ａ）に並んで配置されており、配線基板３０及び４０を挟んで互いに対向している。放熱板５１は配線基板３０の主面３１と対向して配置され、前述したように放熱板５１にはスペーサ７５を介して配線基板３０が固定されている。底板５２は、配線基板４０の裏面４２と対向して配置されている。放熱板５１には厚さ方向（すなわち所定方向Ａ）に沿って放熱板５１を貫通する貫通孔５１ａが形成されており、この貫通孔５１ａにはフラッシュランプ１０の密封容器１１が挿通されている。そして、密封容器１１の金属製の側管部１１ｃと、同じく金属製の放熱板５１とが互いに接触することにより、これらが熱的に結合されている。なお、密封容器１１の金属製の側管部１１ｃと、同じく金属製の放熱板５１とが互いに直接接触する場合に限らず、両者の間に金属や熱伝導性の高い材料からなる中間部材を挟むことで、熱的に結合されていても良い。また、フラッシュランプ１０の光透過窓１１ｂの外面は、放熱板５１の外面と面一になっている。図４に示されるように、所定方向Ａにおける放熱板５１の厚さＴ１は、底板５２の厚さＴ２よりも厚く形成されている。
【００３５】
側板５３は、所定方向Ａに沿って延びており、放熱板５１の周縁部と底板５２の周縁部とを互いに繋いでいる。所定方向Ａから見た側板５３の形状は、略矩形状である。一例では、側板５３と底板５２とが一体的に形成されて有底容器を構成し、該有底容器の開口部を放熱板５１が嵌合して閉じるように放熱板５１が形成されるとよい。この場合、側板５３は、放熱板５１に対して例えばネジ止めによって固定される。また、側板５３の一部には、前述したコネクタ５８を筐体５０から露出させるための開口部５３ａが形成されている。
【００３６】
図５は、配線基板３０及び４０に実装される回路構成の例を示す回路図である。図５に示されるように、この回路は、陽極１４と陰極１３との間に電圧を印加する主電源部８と、発光タイミングを制御するためのトリガ電圧をトリガ電極１５に印加するトリガ電源部９とを有する。
【００３７】
主電源部８は、陽極１４と陰極１３との間に電圧を印加するための主放電電源８１を有する。主電源部８の正側端子には、抵抗８２の一端が接続されている。主放電電源８１の負側端子は、接地電位に設定される基準電位線８３に接続されており、且つ、フラッシュランプ１０の陰極１３に接続されている。抵抗８２の他端と基準電位線８３との間には、大容量の電流を瞬間的にフラッシュランプ１０に供給するための主コンデンサとして、給電部６０が接続されている。給電部６０は、図３を示して説明したように、互いに並列に接続された複数（図では３個）のチップコンデンサ６１を有する。なお、前述したように、給電部６０は単一のチップコンデンサ６１により構成されてもよい。抵抗８２の他端および給電部６０の正側端子は、整流素子８４を介して陽極１４に接続されている。
【００３８】
トリガ電源部９には、トリガ電圧を発生するトリガ電源９１が設けられている。トリガ電源９１の正側端子は、抵抗９２及びトリガコンデンサ（補助コンデンサ）９３を介して、トランス５７の一次側コイル５７ａの一端に接続されている。トリガ電源９１の負側端子は、接地電位に設定される基準電位線９４に接続されており、且つ、トランス５７の一次側コイル５７ａの他端に接続されている。抵抗９２とトリガコンデンサ９３との間のノードと基準電位線９４との間には、入力端子９５より入力されるトリガ信号によってスイッチの働きをするサイリスタ９６が接続されている。
【００３９】
トランス５７の二次側コイル５７ｂの一端は、コンデンサ４３ａ〜４３ｃの各一端側電極に接続されている。コンデンサ４３ａの他端側電極は陽極１４に接続され、コンデンサ４３ｂの他端側電極はトリガ電極１５に接続され、コンデンサ４３ｃの他端側電極はスパーカ電極１６に接続されている。また、陽極１４とトリガ電極１５とは抵抗４４ａを介して互いに接続され、トリガ電極１５とスパーカ電極１６とは抵抗４４ｂ及び４４ｃを介して互いに接続されている。なお、トランス５７の二次側コイル５７ｂの他端は基準電位線８３および陰極１３に接続されており、抵抗４４ｂと抵抗４４ｃとの間のノードもまた、基準電位線８３および陰極１３に接続されている。
【００４０】
以上の構成を備える本実施形態のフラッシュ光源装置１Ａの動作について説明する。まず、主放電電源８１により、陽極１４と陰極１３に所定の電圧が印加されるとともに給電部６０が充電される。一方、トリガ電源部９において、トリガ信号が端子９５から入力されるとサイリスタ９６がオン状態となり、トリガコンデンサ９３の蓄積電荷が出力される。これにより、トランス５７の一次側コイル５７ａに１００〜３００Ｖのパルス電圧が印加される。このパルス電圧はトランス５７において増幅され、二次側コイル５７ｂから５〜７ｋVのパルス電圧が出力される。このパルス電圧は、陽極１４、トリガ電極１５、及びスパーカ電極１６に印加される。
【００４１】
フラッシュランプ１０では、まず、スパーカ電極１６により予備放電が生じ、次に陰極１３又は陽極１４とトリガ電極１５との間の予備放電が生じ、これらにより予備放電路が形成される。その後直ちに、陰極１３と陽極１４との間の主放電が予備放電路に沿って生じ、アーク発光が生じる。陰極１３と陽極１４との間の放電が生じると、主電源８１による電流とともに給電部６０の蓄積電荷が出力される。
【００４２】
本実施形態のフラッシュ光源装置１Ａによって得られる効果について説明する。前述したように、従来のフラッシュ光源装置では、フラッシュランプに対して大電流を瞬時に供給するためのコンデンサとして、一般にフィルムコンデンサが用いられている。しかし、フィルムコンデンサは寸法が大きく、フラッシュ光源装置の小型化を妨げる一因となる。これに対し、本実施形態のフラッシュ光源装置１Ａでは、フラッシュランプ１０に対して大電流を瞬時に供給するための給電部６０が、配線基板３０上に面実装された一又は複数のチップコンデンサ６１を有している。チップコンデンサは、フィルムコンデンサと比較して寸法が極めて小さい。従って、フラッシュ光源装置１Ａの小型化を可能にでき、例えば従来のフラッシュ光源装置に対して体積比で１／２といった大きさを実現することができる。また、寸法の大きなフィルムコンデンサをフラッシュランプの横に配置しなくて済むので、例えば本実施形態のように筐体５０の形状を所定方向Ａ、すなわち光出射方向から見て正方形にすることが可能となる。例えば側板５３と設置面とが対向するようにフラッシュ光源装置１Ａを設置する場合、光出射方向から見た筐体５０の形状が正方形であれば、設置面に対する陰極１３及び陽極１４の並び方向を９０°変更しても発光位置が変わらないので、照射対象に対する陰極１３及び陽極１４の並び方向を任意且つ容易に設定することができる。
【００４３】
また、本実施形態のように、フラッシュ光源装置１Ａが、密封容器１１と熱的に結合された金属製の放熱板５１を備え、放熱板５１が、配線基板３０に対向して配置されているとよい。このような放熱板５１が設けられることにより、フラッシュランプ１０から生じる熱を効率的に放散し、配線基板３０上の回路素子への熱的な影響を低減することができる。特に、給電部６０のチップコンデンサ６１がセラミックコンデンサである場合、従来のフィルムコンデンサと比較して熱に弱いので、上記のような放熱板５１が設けられることによりチップコンデンサ６１を動作温度範囲内でより好適に動作させることができる。また、給電部６０が複数のチップコンデンサ６１を有する場合には、チップコンデンサ６１一つ当たりの負荷を抑えることができるので、チップコンデンサ６１自身の発熱をも低減することができる。
【００４４】
また、本実施形態のように、密封容器１１の側管部１１ｃは金属製であることが好ましい。これにより、密封容器１１の熱伝導率が向上し、フラッシュランプ１０の発光により生じる熱が効率よく放熱板５１に伝達されるので、上述した放熱効果をより高めることができる。さらに、放熱板５１が、密封容器１１が挿通される貫通孔５１ａを有することが好ましく、これにより、密封容器１１から放熱板５１への熱の伝達がさらに効率よく行われる。
【００４５】
また、本実施形態のように、筐体５０の放熱板５１は、底板５２よりも厚いことが好ましい。このように放熱板５１が厚く形成されることにより放熱板５１の熱容量が増すので、上述した放熱効果をより高めることができる。
【００４６】
また、本実施形態のように、少なくとも一つのチップコンデンサ６１が、配線基板３０の裏面３２上に面実装されているとよい。これにより、フラッシュランプ１０や放熱板５１から放出される熱が配線基板３０によって遮られるので、裏面３２上に実装されたチップコンデンサ６１への熱的な影響を更に低減することができる。
【００４７】
また、図３に示されたように、フラッシュランプ１０が封止管１２を有する場合、配線基板３０における封止管１２との対向部分に孔３３（若しくは凹部）が形成されているとよい。封止管１２がリードピン２１〜２４と共に密封容器１１の端面から突出していると、配線基板３０と干渉するため、フラッシュランプ１０と配線基板３０とを十分に離して配置せざるを得ず、フラッシュ光源装置１Ａの小型化を妨げる一因となる。本実施形態のように、配線基板３０における封止管１２との対向部分に孔３３（若しくは凹部）が形成されていることにより、このような問題を解決してフラッシュ光源装置１Ａの更なる小型化を可能にできる。さらに、押し潰されることにより封止された排気管１２の先端部と配線基板３０との接触を抑制することができるので、先端部への応力による封止の破壊を抑制できる。そのため、フラッシュ光源装置１Ａの安定性も向上することができる。
【００４８】
また、図１に示されたように、リードピン２１〜２４（特に、陰極１３に接続されたリードピン２１、および陽極１４に接続されたリードピン２２）の先端部２１ｂ〜２４ｂ同士の間隔は、基端部２１ａ〜２４ａ同士の間隔よりも広いことが好ましい。これにより、配線基板３０におけるリードピン２１〜２４相互の間隔を広くすることができるので、フラッシュ光源装置１Ａの小型化に伴う耐圧性能の低下を抑制することができる。また、配線基板３０に対するフラッシュランプ１０の取り付け安定性が高まるので、耐振動性能を向上させることができる。
【００４９】
また、図１に示されたように、リードピン２１〜２４が屈曲部２１ｃ〜２４ｃを更に含むとよい。これにより、リードピン２１〜２４の基端部２１ａ〜２４ａに過大な曲げ応力が加わることを防止し、また基端部２１ａ〜２４ａをステム１１ｂの厚さ方向に沿って配置できるので、基端部２１ａ〜２４ａにおける封止機能への影響を抑えつつ、先端部２１ｂ〜２４ｂ同士の間隔を広くすることができる。
【００５０】
また、図５に示されたように、フラッシュ光源装置１Ａが、主放電のための電流を供給する主コンデンサ（給電部６０）と、主放電の開始を補助するための電流を供給するトリガコンデンサ９３とを有する場合、少なくとも主コンデンサがチップコンデンサ６１によって構成されていることが好ましい。このように、より大きな電流の充電及び放電を行う主コンデンサがチップコンデンサ６１により構成されることによって、フラッシュ光源装置１Ａを効果的に小型化することができる。但し、この場合、主コンデンサ（給電部６０）に加えて、トリガコンデンサ９３もチップコンデンサによって構成されていると尚良い。これにより、フラッシュ光源装置１Ａを更に小型化することができる。
【００５１】
本発明によるフラッシュ光源装置は、上述した実施形態に限られるものではなく、他に様々な変形が可能である。例えば、上記実施形態ではフラッシュランプ１０の密封容器１１の側管部１１ｃが金属製であるが、側管部１１ｃは例えばガラスなど他の材料により構成されてもよく、またその形状も略円筒状に限らず、略多角形筒状でもよい。また、フラッシュランプ１０は所定方向Ａに沿った方向に光を取り出すヘッドオン型であるが、所定方向Ａと交差する方向に光を取り出すサイドオン型でもよい。また、陰極１３及び陽極１４は、所定方向Ａと交差する方向に並んで配置されているが、所定方向Ａに沿った方向に並んで配置されていてもよい。また、フラッシュランプ１０は、配線基板３０に対して半田７１によって直接、導電的に接着固定されているが、リードピン２１〜２４に嵌合するソケットを介して配線基板３０に導電的に固定してもよい。また、リードピン２１〜２４は、屈曲部２１ｃ〜２４ｃによってその先端部２１ｂ〜２４ｂ同士の間隔を、基端部２１ａ〜２４ａ同士の間隔よりも広くする構成に限らず、基端部２１ａ〜２４ａから先端部２１ｂ〜２４ｂに向けて、密封容器１１の中心軸線から離れる方向に直線状に延在してもよい。
【００５２】
また、上記実施形態ではチップコンデンサ６１としてチップセラミックコンデンサを例示したが、本発明のチップコンデンサとしては、配線基板上に面実装が可能なチップ形状を有するものであれば、セラミックコンデンサ以外にも種々のコンデンサが用いられる。
【符号の説明】
【００５３】
１Ａ…フラッシュ光源装置、８…主電源部、９…トリガ電源部、１０…フラッシュランプ、１１…密封容器、１１ａ…ステム、１１ｂ…光透過窓、１１ｃ…側管部、１２…封止管、１３…陰極、１４…陽極、１５…トリガ電極、１６…スパーカ電極、１８…絶縁部材、２１〜２４…リードピン、２１ａ〜２４ａ…基端部、２１ｂ〜２４ｂ…先端部、２１ｃ〜２４ｃ…屈曲部、３０，４０…配線基板、３３…孔、５０…筐体、５１…放熱板、５２…底板、５３…側板、５６…電解コンデンサ、５７…トランス、５８…コネクタ、６０…給電部、６１…チップコンデンサ、７１…半田、７２…抵抗素子、７５…スペーサ。
【図１】
2014179205.tif 000003
【図２】
2014179205.tif 000004
【図３】
2014179205.tif 000005
【図４】
2014179205.tif 000006
【図５】
2014179205.tif 000007